(57)【要約】【課題】端子を簡便に絶縁できる蓄電装置を提供すること。【解決手段】ケース１１と正極端子２９の端子台２９ａとを絶縁している正極端子絶縁部４２と、ケース１１の蓋１５と正極導電部材３０との間に介在されており、ケース１１と正極導電部材３０とを絶縁している導電部材絶縁部４１とを備え、導電部材絶縁部４１と正極端子絶縁部４２とは一体である。【選択図】図３
2016091737.tif 000002
【特許請求の範囲】
【請求項１】
電極が層状に重なっている電極組立体と、
前記電極組立体を収容しているケースと、
前記ケースの外側に突出している第１端部及び前記ケースの内側に配置されている第２端部を有し、且つ前記ケースの壁に固定されている端子と、
前記ケースの内側において、前記ケースの壁のうち前記端子が固定されている壁に沿って延びるように配置されており、且つ前記電極と前記端子の第２端部とを電気的に接続している導電部材と、
前記ケースの壁と前記端子の第２端部との間の少なくとも一部に介在されており、前記ケースと前記端子の第２端部とを絶縁している端子絶縁部と、
前記ケースの壁のうち前記端子が固定されている壁と前記導電部材との間に介在されており、前記ケースと前記導電部材とを絶縁している導電部材絶縁部と、を備え、
前記端子絶縁部と前記導電部材絶縁部とは一体であることを特徴とする蓄電装置。
【請求項２】
前記電極組立体は、前記電極組立体の縁部のうち前記端子が固定されている壁に沿って延在している縁部から突出し、且つ前記電極のタブが層状に重なっているタブ群を有しており、
前記タブ群は、前記導電部材と電気的に接続されている請求項１に記載の蓄電装置。
【請求項３】
前記タブ群には、湾曲又は屈曲させた曲げ部と、前記曲げ部から前記電極組立体における積層方向に延出し、かつ前記導電部材と電気的に接続される接続部を有する延出部とが形成されており、
前記端子、前記導電部材、及び前記タブ群は、前記端子が固定されている壁に沿って並ぶように配置されている請求項２に記載の蓄電装置。
【請求項４】
前記端子絶縁部は、前記ケースを構成している壁のうち、前記端子における第１端部の突出方向に沿っている壁と、前記端子の第２端部との間の少なくとも一部に介在されている請求項１〜３のいずれか１項に記載の蓄電装置。
【請求項５】
前記蓄電装置は二次電池である請求項１〜４のいずれか１項に記載の蓄電装置。
【発明の詳細な説明】
【技術分野】
【０００１】
この発明は、蓄電装置に関する。
【背景技術】
【０００２】
従来から、ＥＶ（Electric Vehicle）やＰＨＶ（Plug in Hybrid Vehicle）などの車両には、電動機などへの供給電力を蓄える蓄電装置としてリチウムイオン二次電池やニッケル水素二次電池などが搭載されている。この種の蓄電装置は、電極が層状に重なっている電極組立体と、電極組立体を収容しているケースと、ケースの外側に突出している端子と、電極組立体及び端子を電気的に接続している導電部材と、を備えている（例えば、特許文献１）。特許文献１の蓄電装置では、ケースと導電部材との間に介在されている絶縁部材を備えており、この絶縁部材によって、ケースと導電部材とが絶縁されている。
【先行技術文献】
【特許文献】
【０００３】
【特許文献１】国際公開第２０１３／１５７４３３号
【発明の概要】
【発明が解決しようとする課題】
【０００４】
ところで、蓄電装置では、安全性を高める観点から、上述した端子のうちケースの内側に配置されている端部についても、ケースの壁と端子との間に絶縁部材を介在させ、ケースと端子とを絶縁することが好ましい。しかしながら、新たな絶縁部材を設ける場合には、絶縁部材を組み付ける作業が煩雑となる虞がある。
【０００５】
本発明は、このような事情に鑑みてなされたものであり、その目的は、端子を簡便に絶縁できる蓄電装置を提供することにある。
【課題を解決するための手段】
【０００６】
上記課題を解決する蓄電装置は、電極が層状に重なっている電極組立体と、前記電極組立体を収容しているケースと、前記ケースの外側に突出している第１端部及び前記ケースの内側に配置されている第２端部を有し、且つ前記ケースの壁に固定されている端子と、前記ケースの内側において、前記ケースの壁のうち前記端子が固定されている壁に沿って延びるように配置されており、且つ前記電極と前記端子の第２端部とを電気的に接続している導電部材と、前記ケースの壁と前記端子の第２端部との間の少なくとも一部に介在されており、前記ケースと前記端子の第２端部とを絶縁している端子絶縁部と、前記ケースの壁のうち前記端子が固定されている壁と前記導電部材との間に介在されており、前記ケースと前記導電部材とを絶縁している導電部材絶縁部と、を備え、前記端子絶縁部と前記導電部材絶縁部とは一体であることを要旨とする。
【０００７】
これによれば、端子絶縁部は、ケースの壁と端子の第２端部との間の少なくとも一部に介在されていることから、ケースの壁と端子とが接触して短絡することを抑制できる。そして、このような端子絶縁部は、端子が固定されている壁と導電部材とを絶縁する導電部材絶縁部と一体であり、且つ端子及び導電部材が１つの壁に近接して設けられていることから、各絶縁部の組み付けを容易にし、端子を簡便に絶縁できる。
【０００８】
上記蓄電装置について、前記電極組立体は、前記電極組立体の縁部のうち前記端子が固定されている壁に沿って延在している縁部から突出し、且つ前記電極のタブが層状に重なっているタブ群を有しており、前記タブ群は、前記導電部材と電気的に接続されていることが好ましい。
【０００９】
これによれば、導電部材、タブ群、端子絶縁部、及び導電部材絶縁部を、端子が固定されている壁側に集めることができることから、各絶縁部を用いた絶縁を含めて、蓄電装置としての組立て作業を行い易くできる。
【００１０】
上記蓄電装置について、前記タブ群には、湾曲又は屈曲させた曲げ部と、前記曲げ部から前記電極組立体における積層方向に延出し、かつ前記導電部材と電気的に接続される接続部を有する延出部とが形成されており、前記端子、前記導電部材、及び前記タブ群は、前記端子が固定されている壁に沿って並ぶように配置されていることが好ましい。
【００１１】
これによれば、端子、導電部材、及びタブ群は、端子が固定されている壁に沿って並ぶように配置されていることから、端子絶縁部及び導電部材絶縁部を用いた絶縁を行い易くできる。
【００１２】
上記蓄電装置について、前記端子絶縁部は、前記ケースを構成している壁のうち、前記端子における第１端部の突出方向に沿っている壁と、前記端子の第２端部との間の少なくとも一部に介在されていることが好ましい。
【００１３】
これによれば、端子絶縁部により、第１端部の突出方向に沿っている壁と端子の第２端部とをより確実に絶縁できる。
上記蓄電装置について、前記蓄電装置は二次電池であることが好ましい。これによれば、二次電池として、端子を簡便に絶縁できる。
【発明の効果】
【００１４】
本発明によれば、端子を簡便に絶縁できる。
【図面の簡単な説明】
【００１５】
【図１】二次電池の斜視図。
【図２】電極組立体の分解斜視図。
【図３】二次電池の分解斜視図。
【図４】図１に示す１−１線断面図。
【図５】別の実施形態における二次電池の分解斜視図。
【図６】別の実施形態における第１絶縁部材の斜視図。
【図７】別の実施形態における二次電池の分解斜視図。
【発明を実施するための形態】
【００１６】
以下、二次電池の一実施形態について説明する。
図１に示すように、本実施形態において、蓄電装置としての二次電池１０は、リチウムイオン二次電池であるとともに、その外観が角型である角型電池である。二次電池１０は、直方体状のケース１１と、該ケース１１に収容されている電極組立体１２と、を備えている。ケース１１は、開口部１４を有する有底四角筒状のケース本体１３と、開口部１４を塞ぐ四角板状の蓋１５と、を有する。
【００１７】
ケース本体１３及び蓋１５は、例えばステンレスやアルミニウムなどの金属製である。ケース本体１３は、底１３ｂと、該底１３ｂの４つの縁部にそれぞれ連設された４つの壁１３ｃ〜１３ｆを有する。蓋１５は、ケース１１の壁の１つとなる。蓋１５は、安全弁１３ａを有している。安全弁１３ａは、ケース１１内の圧力が開放圧を超えた場合に開放される。
【００１８】
図２に示すように、電極組立体１２は、電極としての正極電極１６と、電極としての負極電極１７と、各電極１６，１７の間を絶縁している多孔質のセパレータ１８とを有する。電極組立体１２は、正極電極１６と負極電極１７とを間にセパレータ１８を介在させた状態で交互に積層した積層型の構造を有する。以下の説明では、電極組立体１２における各電極１６，１７の積層方向を単に「積層方向Ｄ１」と示す。
【００１９】
正極電極１６は、アルミニウムなどの正極金属箔１９と、正極金属箔１９を覆っている正極活物質層２０と、正極金属箔１９の縁部１６ａから正極金属箔１９の面方向に突出する正極集電タブ２１と、を有する。正極活物質層２０は、正極金属箔１９の両面に正極活物質を塗布して設けられている。正極集電タブ２１は、正極金属箔１９のうち、正極活物質が塗布されていない未塗工部である。
【００２０】
また、負極電極１７は、銅などの負極金属箔２２と、負極金属箔２２を覆っている負極活物質層２３と、負極金属箔２２の縁部１７ａから負極金属箔２２の面方向に突出する負極集電タブ２４と、を有する。負極活物質層２３は、負極金属箔２２の両面に負極活物質を塗布して設けられている。負極集電タブ２４は、負極金属箔２２のうち、負極活物質が塗布されていない未塗工部である。負極活物質層２３は、電極組立体１２において、積層方向Ｄ１からみたときに、正極活物質層２０の全面を覆うことが可能な大きさである。
【００２１】
図３に示すように、電極組立体１２は、蓋１５と対向する対向面１２ａから突出し、複数の正極集電タブ２１が層状に重なった正極集電タブ群２５を有する。正極集電タブ群２５は、電極組立体１２において、正極集電タブ２１が積層方向Ｄ１に沿って列状に並ぶように、正極電極１６を積層して設けられている。正極集電タブ群２５において、各正極集電タブ２１は、電極組立体１２における積層方向Ｄ１の両端面のうち第１端面１２ｂ側に寄せ集められているとともに、その寄せ集められた状態で、第１端面１２ｂとは反対側の第２端面１２ｃ側へ折り返されている。即ち、正極集電タブ群２５には、該正極集電タブ群２５を湾曲又は屈曲させた曲げ部２５ａと、曲げ部２５ａから積層方向Ｄ１に延出している延出部２５ｂとが形成されている。
【００２２】
また、電極組立体１２は、対向面１２ａから突出し、複数の負極集電タブ２４が層状に重なった負極集電タブ群２６を有する。負極集電タブ群２６は、電極組立体１２において、負極集電タブ２４が積層方向Ｄ１に沿って列状に並ぶように、負極電極１７を積層して設けられている。負極集電タブ群２６において、各負極集電タブ２４は、電極組立体１２の第１端面１２ｂ側に寄せ集められているとともに、その寄せ集められた状態で、第２端面１２ｃ側へ折り返されている。即ち、負極集電タブ群２６には、該負極集電タブ群２６を湾曲又は屈曲させた曲げ部２６ａと、曲げ部２６ａから積層方向Ｄ１に延出している延出部２６ｂとが形成されている。
【００２３】
図３及び図４に示すように、二次電池１０は、電極組立体１２と電気を授受する正極端子２９と、正極集電タブ群２５及び正極端子２９を電気的に接続していることで、正極集電タブ群２５及び正極端子２９の間の導電経路を構成している導電部材としての正極導電部材３０と、を有している。
【００２４】
正極導電部材３０は、例えばアルミニウムやアルミニウム合金などの金属製である。正極導電部材３０は、正極集電タブ群２５の延出部２５ｂが接合されている四角板状のタブ接合部３０ａと、正極端子２９が接合されている四角板状の端子接合部３０ｂと、を有している。そして、正極導電部材３０は、タブ接合部３０ａ及び端子接合部３０ｂの両方に連続し、且つクランク状に湾曲した湾曲部３０ｃを有している。正極導電部材３０は、ケース１１の内部において、蓋１５に沿って延びるように配置されている。また、正極集電タブ群２５の延出部２５ｂは、正極導電部材３０と電気的に接続される接続部２５ｃを有する。
【００２５】
正極端子２９は、端子接合部３０ｂに接合されている扁平な角柱状の端子台２９ａと、端子台２９ａから電極組立体１２とは反対側に延びる円柱状の端子軸２９ｂとを有している。端子軸２９ｂは、蓋１５にある貫通孔１５ａを挿通させた状態で、ケース１１の外側に突出している。また、端子軸２９ｂは、その外周面にネジ溝を有する。
【００２６】
また、二次電池１０は、電極組立体１２と電気を授受する負極端子３１と、負極集電タブ群２６及び負極端子３１を電気的に接続していることで、負極集電タブ群２６及び負極端子３１の間の導電経路を構成している導電部材としての負極導電部材３２と、を有している。
【００２７】
負極導電部材３２は、例えば銅や銅合金などの金属製である。負極導電部材３２は、負極集電タブ群２６の延出部２６ｂが接合されている四角板状のタブ接合部３２ａと、負極端子３１が接合されている四角板状の端子接合部３２ｂと、を有している。そして、負極導電部材３２は、タブ接合部３２ａ及び端子接合部３２ｂの両方に連続し、且つクランク状に湾曲した湾曲部３２ｃを有している。負極導電部材３２は、ケース１１の内部において、蓋１５に沿って延びるように配置されている。また、負極集電タブ群２６の延出部２６ｂは、負極導電部材３２と電気的に接続される接続部２６ｃを有する。
【００２８】
負極端子３１は、端子接合部３２ｂに接合されている扁平な角柱状の端子台３１ａと、端子台３１ａから電極組立体１２とは反対側に延びる円柱状の端子軸３１ｂとを有している。端子軸３１ｂは、蓋１５にある貫通孔１５ａを挿通させた状態で、ケース１１の外側に突出している。また、端子軸３１ｂは、その外周面にネジ溝を有する。
【００２９】
以下の説明では、各端子軸２９ｂ，３１ｂが突出している方向を単に「突出方向Ｄ２」と示し、積層方向Ｄ１及び突出方向Ｄ２と直交する方向を「幅方向Ｄ３」と示す。本実施形態において、端子台２９ａ，３１ａは、ケース１１の内側に配置されている第２端部となり、端子軸２９ｂ，３１ｂは、ケース１１の外側に突出している第１端部となる。
【００３０】
また、二次電池１０は、ケース１１内に収容されており、該ケース１１内において、各端子２９，３１及び各導電部材３０，３２とケース１１とを絶縁している第１絶縁部材４０を有している。第１絶縁部材４０は、各導電部材３０，３２とケース１１とを絶縁している導電部材絶縁部４１と、正極端子２９の端子台２９ａとケース１１とを絶縁している正極端子絶縁部４２と、負極端子３１の端子台３１ａとケース１１とを絶縁している負極端子絶縁部４３と、を有する。
【００３１】
各絶縁部４１〜４３は、幅方向Ｄ３における導電部材絶縁部４１の両端に各端子絶縁部４２，４３を配置した状態で一体化されており、第１絶縁部材４０として単一の部材を構成している。第１絶縁部材４０は、例えばポリプロピレンといった絶縁性の樹脂製や、表面に絶縁層を形成した金属製である。
【００３２】
導電部材絶縁部４１は、突出方向Ｄ２において各導電部材３０，３２と蓋１５との間に介在されており、且つ正極端子２９から負極端子３１までの幅方向Ｄ３の全体にわたって、蓋１５に沿って延在している四角板状の第１壁４１ａを有している。積層方向Ｄ１に沿った第１壁４１ａの長さは、積層方向Ｄ１に沿った各導電部材３０，３２の長さより長い。第１壁４１ａは、各導電部材３０，３２と蓋１５とを絶縁している。
【００３３】
また、導電部材絶縁部４１は、積層方向Ｄ１における第１壁４１ａの両端部からそれぞれ電極組立体１２に向かって延びる一対の第２壁４１ｂを有している。各第２壁４１ｂは、ケース本体１３において、積層方向Ｄ１の両端に位置している壁１３ｃ，１３ｄと、各導電部材３０，３２との間に介在されており、ケース本体１３と各導電部材３０，３２とを絶縁している。
【００３４】
導電部材絶縁部４１は、第１壁４１ａと各第２壁４１ｂとで構成されている凹部内に正極導電部材３０及び負極導電部材３２を収容している。また、第１絶縁部材４０は、突出方向Ｄ２から見たときに、蓋１５の安全弁１３ａと重なる位置に、厚さ方向に貫通する貫通孔４０ｃを有する。
【００３５】
導電部材絶縁部４１のうち、正極端子２９側の部分は、正極導電部材３０とケース１１とを絶縁している正極導電部材絶縁部４１ｄとなり、負極端子３１側の部分は、負極導電部材３２とケース１１とを絶縁している負極導電部材絶縁部４１ｅとなる。
【００３６】
また、正極端子絶縁部４２は、正極端子２９の端子軸２９ｂが挿通されている円形の挿通孔４２ａを有しており、且つ突出方向Ｄ２と直交する平面に沿って延びる円環状の第１正極壁４２ｂと、該第１正極壁４２ｂの外周から突出方向Ｄ２に沿うように電極組立体１２へ向かって延びる扁平な円環状の第２正極壁４２ｃとを有する。正極端子２９の端子台２９ａは、突出方向Ｄ２側の端部が各正極壁４２ｂ，４２ｃによって覆われている。
【００３７】
第１正極壁４２ｂは、蓋１５と端子台３１ａとの間に介在されており、突出方向Ｄ２において、蓋１５と端子台３１ａとを絶縁している。第２正極壁４２ｃは、積層方向Ｄ１において、ケース本体１３の両端に位置している壁１３ｃ，１３ｄと、端子台３１ａとの間に介在されており、ケース本体１３と端子台３１ａとを絶縁している。
【００３８】
また、第２正極壁４２ｃは、幅方向Ｄ３において、ケース本体１３の両端に位置している壁１３ｅ，１３ｆのうち、正極端子２９側の壁１３ｅと、端子台３１ａとの間に介在されており、ケース本体１３と端子台３１ａとを絶縁している。このように、第２正極壁４２ｃは、突出方向Ｄ２に沿って延びる４つの壁１３ｃ〜１３ｆのうち、３つの壁１３ｃ〜１３ｅと正極端子２９とを絶縁している。
【００３９】
負極端子絶縁部４３は、負極端子３１の端子軸３１ｂが挿通されている円形の挿通孔４３ａを有しており、且つ突出方向Ｄ２と直交する平面に沿って延びる円環状の第１負極壁４３ｂと、該第１負極壁４３ｂの外周から突出方向Ｄ２に沿うように電極組立体１２へ向かって延びる扁平な円環状の第２負極壁４３ｃとを有する。負極端子３１の端子台３１ａは、突出方向Ｄ２側の端部が各負極壁４３ｂ，４３ｃによって覆われている。
【００４０】
第１負極壁４３ｂは、蓋１５と端子台３１ａとの間に介在されており、突出方向Ｄ２において、蓋１５と端子台３１ａとを絶縁している。第２負極壁４３ｃは、積層方向Ｄ１において、ケース本体１３の両端に位置している壁１３ｃ，１３ｄと、端子台３１ａとの間に介在されており、ケース本体１３と端子台３１ａとを絶縁している。
【００４１】
また、第２負極壁４３ｃは、幅方向Ｄ３において、ケース本体１３の両端に位置している壁１３ｅ，１３ｆのうち、負極端子３１側の壁１３ｆと、端子台３１ａとの間に介在されており、ケース本体１３と端子台３１ａとを絶縁している。このように、第２負極壁４３ｃは、突出方向Ｄ２に沿って延びる４つの壁１３ｃ〜１３ｆのうち、３つの壁１３ｃ，１３ｄ，１３ｆと負極端子３１とを絶縁している。
【００４２】
また、二次電池１０は、正極端子２９の端子軸２９ｂを挿通させた状態で挿通孔４２ａに挿入されている絶縁性のＯリング４５ａと、負極端子３１の端子軸３１ｂを挿通させた状態で挿通孔４３ａに挿入されている絶縁性のＯリング４５ｂとを有する。
【００４３】
また、二次電池１０は、ケース１１の外部に配置されており、該ケース１１の外側において、正極端子２９とケース１１（蓋１５）とを絶縁している円環状の第２絶縁部材５０を有している。第２絶縁部材５０は、正極端子２９の端子軸２９ｂが挿通されている挿通孔５０ａを有している。また、第２絶縁部材５０は、端子軸２９ｂの外周面と貫通孔１５ａの内周面との間に介装されていることで、端子軸２９ｂと蓋１５とを絶縁する介装部５０ｂを有する。
【００４４】
また、二次電池１０は、ケース１１の外部に配置されており、該ケース１１の外側において、負極端子３１とケース１１（蓋１５）とを絶縁している円環状の第３絶縁部材５１を有している。第３絶縁部材５１は、負極端子３１の端子軸３１ｂが挿通されている挿通孔５１ａを有している。また、第３絶縁部材５１は、端子軸３１ｂの外周面と貫通孔１５ａの内周面との間に介装されていることで、端子軸３１ｂと蓋１５とを絶縁する介装部５１ｂを有する。
【００４５】
また、二次電池１０は、正極端子２９の端子軸２９ｂ、及び負極端子３１の端子軸３１ｂにそれぞれ螺合されているナット５３を有している。二次電池１０では、正極端子２９の端子軸２９ｂにナット５３が螺合されていることにより、正極端子絶縁部４２、Ｏリング４５ａ、蓋１５、及び第２絶縁部材５０が、端子台２９ａとナット５３との間で挟持されている。また、二次電池１０では、負極端子３１の端子軸３１ｂにナット５３が螺合されていることにより、負極端子絶縁部４３、Ｏリング４５ｂ、蓋１５、及び第３絶縁部材５１が、端子台３１ａとナット５３との間で挟持されている。
【００４６】
以上のように、二次電池１０において、正極端子２９、正極導電部材３０、及び正極集電タブ群２５は、ケース１１の壁のうち正極端子２９が固定されている壁（蓋１５）に沿って、幅方向Ｄ３にオフセットされた状態で並ぶように配置されている。同様に、二次電池１０において、負極端子３１、負極導電部材３２、及び負極集電タブ群２６は、ケース１１の壁のうち負極端子３１が固定されている壁（蓋１５）に沿って、幅方向Ｄ３にオフセットされた状態で並ぶように配置されている。
【００４７】
次に、上記のように構成した二次電池１０の作用について説明する。
正極端子絶縁部４２のうち第２正極壁４２ｃは、ケース１１の壁のうち、突出方向Ｄ２に沿っている壁１３ｃ〜１３ｅと、正極端子２９の端子台２９ａとの間の少なくとも一部に介在されていることから、突出方向Ｄ２と直交する方向において、ケース１１の壁１３ｃ〜１３ｅと正極端子２９とが接触して短絡することを抑制できる。
【００４８】
仮に外力などに起因して、ケース１１が変形したとしても、突出方向Ｄ２に沿って延びる４つの壁１３ｃ〜１３ｆのうち３つの壁１３ｃ〜１３ｅと、端子台２９ａとの間に第２正極壁４２ｃが介在されていることから、ケース１１と正極端子２９とが接触することを抑制できる。
【００４９】
しかしながら、本実施形態のように、正極端子２９の端子台２９ａを覆う第２正極壁４２ｃを正極端子絶縁部４２に設ける場合、単に第１正極壁４２ｂのみを有する正極端子絶縁部と比較して、正極端子絶縁部の構造が複雑になる結果、正極端子絶縁部を正極端子２９に組み付けるのが煩雑になる虞がある。負極側についても同様のことが言える。
【００５０】
これに対して、本実施形態では、正極導電部材絶縁部４１ｄと正極端子絶縁部４２、及び負極導電部材絶縁部４１ｅと負極端子絶縁部４３が一体であることから、正極側及び負極側の両方において、組み付けを簡便にできる。特に、第１絶縁部材４０では、正極導電部材絶縁部４１ｄと負極導電部材絶縁部４１ｅについても一体であることから、各絶縁部４１〜４３の組み付けをより簡便にできる。
【００５１】
また、本実施形態では、正極端子２９が固定されている蓋１５側に、正極集電タブ群２５、及び正極導電部材３０がまとめて配設されていることから、第１絶縁部材４０を用いて、正極端子２９や正極導電部材３０を絶縁するときの作業性を向上できる。負極側についても同様のことが言える。
【００５２】
したがって、本実施形態によれば、以下に示す効果を得ることができる。
（１）正極端子絶縁部４２は、ケース１１の壁と正極端子２９の端子台２９ａとの間の少なくとも一部に介在されていることから、ケース１１の壁と正極端子２９とが接触して短絡することを抑制できる。そして、このような正極端子絶縁部４２は、蓋１５と正極導電部材３０とを絶縁する正極導電部材絶縁部４１ｄと一体であり、且つ正極端子２９及び正極導電部材３０が１つの壁（蓋１５）に近接して設けられていることから、各絶縁部の組み付けを容易にし、正極端子２９を簡便に絶縁できる。負極側についても同様である。
【００５３】
（２）正極導電部材３０、正極集電タブ群２５、正極端子絶縁部４２、及び正極導電部材絶縁部４１ｄを、正極端子２９が固定されている壁（蓋１５）側に集めることができることから、各絶縁部４１ｄ，４２を用いた絶縁を含めて、二次電池１０としての組立て作業を行い易くできる。負極側についても同様である。
【００５４】
（３）正極端子２９、正極導電部材３０、及び正極集電タブ群２５は、正極端子２９が固定されている壁（蓋１５）に沿って並ぶように配置されていることから、正極端子絶縁部４２及び正極導電部材絶縁部４１ｄを用いた絶縁を行い易くできる。負極側についても同様である。
【００５５】
（４）第２正極壁４２ｃにより、突出方向Ｄ２と直交する方向において、正極端子２９を覆うことで、正極端子２９とケース１１との絶縁性を高めることができる。負極側についても同様である。
【００５６】
（５）二次電池として、各端子２９，３１を簡便に絶縁できる。
（６）そして、例えば外力によってケース１１が変形するような場合であっても、第１絶縁部材４０によって、端子２９，３１及び導電部材３０，３２とケース１１とが短絡することを抑制できる。
【００５７】
（７）突出方向Ｄ２に沿っている４つの壁１３ｃ〜１３ｆのうち３つの壁１３ｃ〜１３ｅと、正極端子２９の端子台２９ａとの間に正極端子絶縁部４２が介在されていることから、ケース１１の壁と正極端子２９とをより確実に絶縁できる。負極側についても同様である。
【００５８】
（８）正極導電部材絶縁部４１ｄと正極端子絶縁部４２とが一体であり、且つ負極導電部材絶縁部４１ｅと負極端子絶縁部４３とが一体である。したがって、正極用及び負極用の何れについても、端子絶縁部と導電部材絶縁部とが一体であることから、正極側及び負極側の両方において、各端子２９，３１を簡便に絶縁できる。
【００５９】
（９）正極導電部材絶縁部４１ｄと負極導電部材絶縁部４１ｅとが一体であることから、単一の第１絶縁部材４０を用いて、端子２９，３１、及び導電部材３０，３２をケース１１から簡便に絶縁できる。
【００６０】
（１０）正極端子絶縁部４２は、端子台２９ａにおける蓋１５側の面を覆う第１正極壁４２ｂを有している。したがって、本実施形態では、ケース本体１３の３つの壁１３ｃ〜１３ｅと、蓋１５の１つの壁とから絶縁できる。負極側についても同様である。
【００６１】
なお、上記実施形態は、以下のように変更してもよい。
○  図５に示すように、電極組立体１２は、帯状の正極電極１６と帯状の負極電極１７との間に帯状のセパレータ１８を介在させた状態で捲回して層状に積層した捲回型の電極組立体であってもよい。
【００６２】
○  図６に示すように、第１絶縁部材４０において、導電部材絶縁部４１は、積層方向Ｄ１に沿った長さが各導電部材３０，３２より短い板状であってもよい。また、導電部材絶縁部４１は、各第２壁４１ｂの一方又は両方を省略してもよい。即ち、導電部材絶縁部４１は、少なくとも各導電部材３０，３２と蓋１５との間に介在されておればよい。
【００６３】
○  図７に示すように、電極組立体１２における各集電タブ群２５，２６の突出位置を変更してもよい。例えば、各集電タブ群２５，２６は、電極組立体１２の対向面１２ａにおける幅方向Ｄ３の両端部に配置していてもよい。この場合、幅方向Ｄ３において、各端子２９，３１が各集電タブ群２５，２６の内側に位置するように、各導電部材３０，３２を配置する。そして、第１絶縁部材４０における絶縁部４１〜４３の位置は、各端子２９，３１の突出位置に応じて変更できる。即ち、各端子絶縁部４２，４３は、第１絶縁部材４０において、幅方向Ｄ３の両端部に位置している必要はなく、該両端部よりも内側に位置していてもよい。また、各導電部材絶縁部４１ｄ，４１ｅは、必ずしも導電部材絶縁部４１として一体である必要はなく、第１絶縁部材４０において、幅方向Ｄ３の両端部に分割して位置していてもよい。
【００６４】
○  正極端子２９をケース１１の壁１３ｃ〜１３ｆの何れかに固定してもよい。この場合、正極導電部材３０は、正極端子２９が固定されている壁に沿うように配置するとよい。負極側についても同様に変更できる。この場合、正極端子２９と負極端子３１とをそれぞれ異なる壁に固定してもよい。
【００６５】
○  正極導電部材３０は、その全体に限らず、少なくとも一部について、正極端子２９が固定されている壁に沿って配置されておればよい。負極側についても同様に変更できる。
【００６６】
○  正極導電部材絶縁部４１ｄと正極端子絶縁部４２、及び負極導電部材絶縁部４１ｅと負極端子絶縁部４３の何れか一方の組み合せが一体であり、他方の組み合せが別体であってもよい。また、導電部材絶縁部４１は、各端子絶縁部４２，４３の何れか一方と一体であり、他方と別体であってもよい。
【００６７】
○  各端子絶縁部４２，４３は、四角環状であってもよく、楕円環状であってもよい。
○  各端子絶縁部４２，４３は、一部を切り欠いた形状であってもよい。即ち、正極端子絶縁部４２は、ケース１１を構成している壁のうち、突出方向Ｄ２に沿っている壁１３ｃ〜１３ｅと、正極端子２９の端子台２９ａとの間の少なくとも一部に介在されておればよい。負極側についても同様である。
【００６８】
○  各端子軸２９ｂ，３１ｂの形状を変更してもよい。例えば、各端子軸２９ｂ，３１ｂは、角柱状であってもよい。
○  正極端子２９は、端子軸２９ｂの先端部を変形させて行うリベット締結により蓋１５に固定されていてもよい。負極側についても同様に変更できる。
【００６９】
○  ケース１１を構成する部材は３つ以上であってもよく、各部材の形状を変更してもよい。例えば、ケース１１は、開口部を有する第１部材と開口部を有する第２部材とを開口部同士が対向するように組み合わせて形成してもよい。
【００７０】
○  ケース１１の形状は、収容される電極組立体１２の形状に対応させて適宜変更してもよい。例えば、ケース１１は円柱型であってもよい。この場合、有底円筒状のケース本体１３と、円盤状の蓋１５とを用いるとよい。
【００７１】
○  二次電池１０は、車両としての乗用車や産業用車両に搭載してもよく、定置用の蓄電装置として適用してもよい。
○  二次電池１０は、リチウムイオン二次電池に限らず、ニッケル水素二次電池やニッケルカドミウム二次電池等の他の二次電池であってもよい。
【００７２】
○  二次電池に限らず、例えば、電気二重層キャパシタやリチウムイオンキャパシタ等のようなキャパシタとして具体化してもよい。
【符号の説明】
【００７３】
１０…二次電池、１１…ケース、１２…電極組立体、１３…壁、１５…蓋（壁）、１６…正極電極（電極）、１７…負極電極（電極）、２９…正極端子（端子）、２９ａ…端子台（第２端部）、２９ｂ…端子軸（第１端部）、３０…正極導電部材（導電部材）、３１…負極端子（端子）、３１ａ…端子台（第２端部）、３１ｂ…端子軸（第１端部）、３２…負極導電部材（導電部材）、４０…第１絶縁部材、４１…導電部材絶縁部、４１ｄ…正極導電部材絶縁部、４１ｅ…負極導電部材絶縁部、４２…正極端子絶縁部（端子絶縁部）、４３…負極端子絶縁部（端子絶縁部）。
【図１】
2016091737.tif 000003
【図２】
2016091737.tif 000004
【図３】
2016091737.tif 000005
【図４】
2016091737.tif 000006
【図５】
2016091737.tif 000007
【図６】
2016091737.tif 000008
【図７】
2016091737.tif 000009